(57)【要約】【課題】リザーバ内の薬液の注出後に、操作部材に対する係合手段の係合状態が自動的に解除され得る薬液自己注入装置を提供する。【解決手段】リザーバ２８と、操作部材２０と、この操作部材２０に対する相対移動によりリザーバ２８を押圧変形させる押圧部材１６と、操作部材２０に係合する係合手段１４，６２とを設け、操作部材２０に対する係合手段１４，６２の係合下で弾性変形状態とされるばね弾性部材１８の復元力に基づいて、押圧部材１６を操作部材２０に対して相対移動させることにより、リザーバ２８を押圧部材１６にて押圧変形させる一方、押圧部材１６が所定の移動位置に達したときに、係合手段１４，６２の操作部材２０に対する係合を解除するように構成した。【選択図】図１
2010227144.tif 000002
【特許請求の範囲】
【請求項１】
薬液注入口と薬液注出口とを有して、内部に所定量の薬液を貯留する、可撓性のリザーバと、該リザーバを押圧変形させて、該リザーバ内の薬液を該薬液注出口から注出させる押圧手段とを備えてなる薬液自己注入装置であって、
前記押圧手段が、外部からの操作によって、前記リザーバに対して接近及び離隔移動させられる操作部材と、該操作部材に対して相対移動して、前記リザーバを押圧変形させる押圧部材とを含んで構成される一方、
前記操作部材が前記リザーバに接近移動したときに、該操作部材に係合して、該操作部材の移動を阻止する係合手段と、
該操作部材の前記リザーバ側への移動により弾性変形させられると共に、該操作部材が前記係合手段にて係合された状態下で、弾性変形状態からの復元力に基づいて、前記押圧部材を該操作部材に対して相対移動させることにより、該リザーバを該押圧部材にて押圧させるばね弾性部材と、
前記押圧部材と一体移動可能とされており、該押圧部材が、前記リザーバを押圧しつつ、予め設定された位置にまで移動したときに、前記係合手段の前記操作部材に対する係合状態を解除する係合解除手段と、
が設けられていることを特徴とする薬液自己注入装置。
【請求項２】
前記係合解除手段が、前記押圧部材に対して一体的に突設された係合解除突起からなる一方、前記係合手段が、前記操作部材に設けられた係合部と、前記リザーバと該押圧部材との間に変位不能に設けられた、撓み変形可能な可撓部材と、該可撓部材に突設されて、該操作部材の該係合部に係合する係合爪部と、該押圧部材が該リザーバ側に移動したときに、該係合解除突起にて押圧されて、該可撓部材を撓み変形させる傾斜面部とを有して構成されて、該係合解除突起による該傾斜面部の押圧に伴う該可撓部材の撓み変形により、該操作部材の該係合部に対する該係合爪部の係合状態が解除されるようになっている請求項１に記載の薬液自己注入装置。
【請求項３】
前記可撓部材が割りリングからなり、前記傾斜面部に対する前記押圧部材の前記係合解除突起の押圧により、該割りリングが撓んで縮径することによって、該操作部材の前記係合部に対する前記係合爪部の係合状態が解除されるようになっている請求項２に記載の薬液自己注入装置。
【請求項４】
前記係合手段が、窓部を有する前記ハウジングの内部に収容配置されると共に、前記可撓部材に、該窓部を通じて、該ハウジングの外側に突出する操作突部が設けられて、前記操作部材の前記係合部に対する前記係合爪部の係合状態下で、該操作突部が外部から押圧されることにより、該可撓部材が撓み変形して、該操作部材の該係合部に対する該係合爪部の係合状態が解除されるようになっている請求項２または３に記載の薬液自己注入装置。
【請求項５】
両端の開放したハウジングと、
薬液注排ポートを有して、前記ハウジングの一方の開放端に挿着されたベース部材と、
開放端と閉鎖端とを有しており、該開放端が前記ベース部材にて閉鎖されると共に、内部が該ベース部材の前記薬液注排ポートに連通した状態で、前記ハウジング内に収容されて、該薬液注排ポートを通じて注入された薬液を貯留する、可撓性を備えたリザーバと、
前記ハウジングの他方の開放端に挿入され、外部からの操作によって前記リザーバに対して接近及び離隔移動させられる操作部材と、
該操作部材が前記リザーバに接近移動したときに、該操作部材に係合して、該操作部材の移動を阻止する係合手段と、
前記ハウジング内における前記操作部材と前記リザーバとの間に、該操作部材に対して相対移動可能に収容されて、該操作部材に対する相対移動により、該リザーバを押圧し、撓み変形させて、該リザーバ内の薬液を前記薬液注排ポートから注出させる押圧部材と、
前記操作部材の前記リザーバへの接近移動により、該操作部材と前記押圧部材との間で弾性変形させられると共に、該操作部材が前記係合手段に係合した状態下で、弾性変形状態からの復元力を発揮するように、前記ハウジング内に配置され、かかる復元力に基づいて、該押圧部材を該操作部材に対して相対移動させることにより、該リザーバを該押圧部材にて押圧させるばね弾性部材と、
前記ハウジング内に、前記押圧部材と一体移動可能に配置されており、該押圧部材が、前記リザーバを押圧しつつ、予め設定された位置にまで移動したときに、前記係合手段の前記操作部材に対する係合状態を解除する係合解除手段と、
を含むことを特徴とする薬液自己注入装置。
【発明の詳細な説明】
【技術分野】
【０００１】
本発明は、薬液自己注入装置に係り、特に、鎮痛剤や麻酔剤などの薬液を、患者の体内に、患者自身が注入するための薬液自己注入装置の改良に関する。
【背景技術】
【０００２】
近年、麻酔科領域において、術後疼痛や癌性疼痛などを和らげるために、微量の持続注入具を使用した硬膜外カテーテル挿入法による薬液投与が行われている。しかし、患者の症状や体質は様々であるため、微量の鎮痛剤を持続注入している途中にも、患者が急に激しい痛みを訴えることがある。そこで、このような危急の症状に迅速に対処するために、患者自身が、自己の体内に、鎮痛剤をワンショットで大量に注入できる、所謂、薬液自己注入装置の開発が進められている。
【０００３】
かかる状況下、本願出願人は、先に、優れた特徴を発揮する薬液自己注入装置を提案した（下記特許文献１参照）。この薬液自己注入装置は、筒状のハウジング（ケーシング）を有し、このハウジングの一方側の開口端には、薬液注排ポートを備えた撓み変形可能なベース部材（ポート部）が挿着されており、他方の開口端には、押圧手段が軸方向にスライド可能に挿入されている。また、ハウジング内には、袋状を呈し、開口部がベース部材の薬液注排ポートに連通した状態で、ベース部材にて閉鎖されて、薬液注排ポートを通じて注入された薬液を貯留するリザーバが収容されている。そして、押圧手段のスライドにより、リザーバが押圧手段にて押圧されて、撓み変形することによって、リザーバ内に貯留された薬液が、注排ポートを通じて注出されるようになっている。この薬液自己注入装置を用いれば、患者が押圧手段を押圧して、スライドさせることにより、鎮痛剤などを含む薬液を一時的に大量に、自己の体内に注入することができる。
【０００４】
そして、このような薬液自己注入装置では、特に、押圧手段が、ハウジングの一方側の開口端にスライド可能に挿入された筒状の操作部材（操作部材）と、この操作部材内に収容されて、操作部材のベース部材側へのスライドにより弾性変形するたばね弾性部材とからなっている。また、操作部材がベース部材側のスライドエンド位置に達したときに、操作部材に係合（係止）して、操作部材をスライド不能にロックする係合手段が設けられている。そして、そのような操作部材のロック状態下で、弾性変形したばね弾性部材の復元力に基づいて、リザーバが押圧変形するようになっている。
【０００５】
このような薬液自己注入装置を用いれば、患者が、単に、操作部材を、それが係合手段によりロックされるまで押圧するだけでよく、後はばね弾性部材の復元力により、リザーバ内に貯留された薬液が、患者の体内に、一定の圧力で自動的に注入される。それ故、係合手段を有しない従来の薬液自己注入装置を用いる場合とは異なって、リザーバ内の薬液の全量を完全に注出し終わるまで、患者が押圧手段を押し続けるといった操作を行う必要がなく、また、必要以上の力で押圧部材が押圧されて、薬液がリザーバから急激に注出されることもない。従って、本願出願人提案の薬液自己注入装置を使用することにより、体力の弱った患者などでも、薬液の自己注入を安定的に且つ確実に行うことができ、また、薬液が、急激な注出によってリークしてしまうことを効果的に防止することが可能となる。
【０００６】
かかる薬液自己注入装置では、リザーバ内の薬液を注出し終わった後に、操作部材の係合手段との係合によるロックを人為的な操作で解除することにより、リザーバ内への薬液の注入圧力にて、リザーバが変形前の状態に復元され、それに伴って、操作部材がスライドエンド位置から押圧される前の位置にまで復帰する構造となっていた。それ故、患者が、そのようなロックの解除操作を行うのを忘れてしまった場合には、ロックを解除して、リザーバ内に薬液が充填されるまで、次回のワンショットでの薬液注入を待たなければならなかった。
【先行技術文献】
【特許文献】
【０００７】
【特許文献１】特許第３９２８２４８号公報
【発明の概要】
【発明が解決しようとする課題】
【０００８】
そこで、本発明は、リザーバ内の薬液を注出し終わった後に、操作部材に対する係合手段の係合状態が自動的に解除され、以って、人為的な操作を何等行うことなしに、薬液がリザーバ内に再充填され得るように改良された薬液自己注入装置の構造を提供することを、解決課題とする。
【課題を解決するための手段】
【０００９】
本発明は、上記した課題を解決するために為されたものであり、その特徴とするところは、薬液注入口と薬液注出口とを有して、内部に所定量の薬液を貯留する、可撓性のリザーバと、該リザーバを押圧変形させて、該リザーバ内の薬液を該薬液注出口から注出させる押圧手段とを備えてなる薬液自己注入装置において、前記押圧手段が、（ａ）外部からの操作によって、前記リザーバに対して接近及び離隔移動させられる操作部材と、（ｂ）該操作部材に対して相対移動して、前記リザーバを押圧変形させる押圧部材とを含んで構成される一方、（ｃ）前記操作部材が前記リザーバに接近移動したときに、該操作部材に係合して、該操作部材の移動を阻止する係合手段と、（ｄ）該操作部材の前記リザーバ側への移動により弾性変形させられると共に、該操作部材が前記係合手段にて係合された状態下で、弾性変形状態からの復元力に基づいて、前記押圧部材を該操作部材に対して相対移動させることにより、該リザーバを該押圧部材にて押圧させるばね弾性部材と、（ｅ）前記押圧部材と一体移動可能とされており、該押圧部材が、前記リザーバを押圧しつつ、予め設定された位置にまで移動したときに、前記係合手段の前記操作部材に対する係合状態を解除する係合解除手段とが設けられている薬液自己注入装置にある。
【００１０】
このような本発明では、例えば、（ｆ）前記係合解除手段が、前記押圧部材に対して、前記ベース部材側に向かって一体的に突設された係合解除突起からなる一方、（ｇ）前記係合手段が、前記操作部材に設けられた係合部と、前記リザーバと該押圧部材との間に変位不能に設けられた、撓み変形可能な可撓部材と、該可撓部材に突設されて、該操作部材の該係合部に係合する係合爪部と、該押圧部材が前記リザーバ側に移動したときに、該係合解除突起にて押圧されて、該可撓部材を撓み変形させる傾斜面部とを有して構成されて、該係合解除突起による該傾斜面部の押圧に伴う該可撓部材の撓み変形により、該操作部材の該係合部に対する該係合爪部の係合状態が解除されるようになっている構成を採用することができる。
【００１１】
また、上記のような可撓部材を含んで係合手段を構成する場合には、（ｈ）前記可撓部材が割りリングからなり、前記傾斜面部に対する前記押圧部材の前記係合解除突起の押圧により、該割りリングが撓んで縮径することによって、該操作部材の前記係合部に対する前記係合爪部の係合状態が解除される構成が、好適に採用される。
【００１２】
また、本発明においては、（ｉ）前記係合手段が、窓部を有するハウジングの内部に収容配置されると共に、（ｊ）前記可撓部材に、該窓部を通じて、該ハウジングの外側に突出する操作突部が設けられて、前記操作部材の前記係合部に対する前記係合爪部の係合状態下で、該操作突部が外部から押圧されることにより、該可撓部材が撓み変形して、該操作部材の該係合部に対する該係合爪部の係合状態が解除される構成を採用することができる。
【００１３】
さらに、本発明においては、（ｋ）両端の開放したハウジングと、（ｌ）薬液注排ポートを有して、前記ハウジングの一方の開放端に挿着されたベース部材と、（ｍ）開放端と閉鎖端とを有しており、該開放端が前記ベース部材にて閉鎖されると共に、内部が該ベース部材の前記薬液注排ポートに連通した状態で、前記ハウジング内に収容されて、該薬液注排ポートを通じて注入された薬液を貯留する、可撓性を備えたリザーバと、（ｎ）前記ハウジングの他方の開放端に挿入され、外部からの操作により、該ハウジングの内壁に沿ってスライドさせられる操作部材と、（ｏ）該操作部材が前記ベース部材側にスライドしたときに、該操作部材に係合して、該操作部材のスライドを阻止する係合手段と、（ｐ）前記ハウジング内における前記操作部材と前記リザーバとの間に、該操作部材に対して相対移動可能に収容されて、該リザーバ側への移動により、該リザーバを押圧し、撓み変形させて、該リザーバ内の薬液を前記薬液注排ポートから注出させる押圧部材と、（ｑ）前記操作部材の前記リザーバへの接近移動により、該操作部材と前記押圧部材との間で弾性変形させられると共に、該操作部材が前記係合手段に係合した状態下で、弾性変形状態からの復元力を発揮するように、前記ハウジング内に配置され、かかる復元力に基づいて、該押圧部材を該操作部材に対して相対移動させることにより、該リザーバを該押圧部材にて押圧させるばね弾性部材と、（ｒ）前記ハウジング内に、前記押圧部材と一体移動可能に配置されており、該押圧部材が、前記リザーバを押圧しつつ、予め設定された位置にまで移動したときに、前記係合手段の前記操作部材に対する係合状態を解除する係合解除手段とを含む薬液自己注入装置をも、その特徴とする。
【発明の効果】
【００１４】
本発明に従う薬液自己注入装置では、操作部材を、それが係合手段により係合されて、ロックされるまで押圧するだけで、ばね弾性部材の復元力により、リザーバが押圧部材にて押圧され、撓み変形して、リザーバ内に貯留された薬液が、一定の圧力で自動的に注出される。そして、押圧部材が、リザーバを押圧しつつ、所定位置まで移動したときに、操作部材の係合手段による係合が係合解除手段により解除されて、操作部材が再びスライド可能な状態となる。これにより、ばね弾性部材の弾性変形状態が解消されて、ばね弾性部材が復元され、以って、ばね弾性部材の復元力に基づく、押圧部材によるリザーバへの押圧が解消される。そして、その状態において、薬液注入口を通じてのリザーバ内への薬液の注入圧力により、リザーバが撓み変形状態から復元して、薬液が、リザーバ内に再び充填されるようになる。
【００１５】
従って、このような本発明に係る薬液自己注入装置では、係合手段により、係合手段の操作部材に対する係合状態を解除するときの押圧部材の移動位置を、リザーバ内の薬液の注出が完了したときの押圧部材の移動位置に設定すれば、リザーバ内の薬液が注出し終わった時点で、操作部材に対する係合手段の係合状態、つまり操作部材のロックを自動的に解除して、人為的な操作を何等行うことなしに、リザーバ内に薬液を再充填することが可能となる。そして、その結果、操作部材のロックの解除忘れにより、次回のワンショットでの薬液注入ができなくなってしまうといったことが効果的に解消され、以って、より一層優れた使用性が、極めて有利に発揮され得るのである。
【図面の簡単な説明】
【００１６】
【図１】本発明に従う薬液自己注入装置の一実施形態を示す縦断面説明図である。
【図２】図１に示された薬液自己注入装置の分解斜視説明図であって、ハウジングが省略された図である。
【図３】図１に示された薬液自己注入装置を構成するベース部材の縦断面説明図であって、図４のIII−III断面に相当する図である。
【図４】図３におけるIV矢視説明図である。
【図５】図１に示された薬液自己注入装置を構成するリザーバリングの縦断面説明図であって、図６のＶ−Ｖ断面に相当する図である。
【図６】図５におけるVI矢視説明図である。
【図７】図１に示された薬液自己注入装置を構成するリザーバの縦断面説明図であって、図８のVII−ＶII断面に相当する図である。
【図８】図７におけるVIII矢視説明図である。
【図９】図１に示された薬液自己注入装置を構成する割りリングの縦断面説明図であって、図１０のIX−IX断面に相当する図である。
【図１０】図９におけるＸ矢視説明図である。
【図１１】図１に示された薬液自己注入装置を構成するプランジャの縦断面説明図であって、図１２のXI−XI断面に相当する図である。
【図１２】図１１におけるXII矢視説明図である。
【図１３】図１に示された薬液自己注入装置を薬液容器に接続して構成された薬液注入システムを示す説明図である。
【図１４】図１に示された薬液自己注入装置の使用状態を説明するための図であって、プッシュボタンを押圧した直後の状態を示している。
【図１５】図１４のXV部拡大説明図である。
【図１６】図１に示された薬液自己注入装置の別の使用状態を説明するための図であって、プッシュボタンの押圧後に、プランジャがリザーバに移動して、リザーバを押圧変形させた状態を示している。
【図１７】図１６のXVII部拡大説明図である。
【図１８】本発明に従う薬液自己注入装置の別の実施形態における図５に対応する図である。
【図１９】本発明に従う薬液自己注入装置の更に別の実施形態における図３に対応する図である。
【発明を実施するための形態】
【００１７】
以下、本発明を更に具体的に明らかにするために、本発明の実施の形態について、図面を参照しつつ、詳細に説明する。
【００１８】
先ず、図１には、本発明に従う薬液自己注入装置の一実施形態の縦断面図が示されており、図２には、その分解斜視図が示されている。それらの図から明らかなように、本実施形態の薬液自己注入装置は、ハウジング１０と、リザーバユニット１２と、可撓部材としての割りリング１４と、押圧部材としてのプランジャ１６と、ばね弾性部材としての圧縮コイルばね１８と、操作部材としてのプッシュボタン２０とを有している。なお、図２には、ハウジング１０が省略されている。
【００１９】
より詳細には、ハウジング１０は、例えば、ポリエチレンやポリプロピレン、ポリエステル、ポリ塩化ビニル、ポリカーボネート、ポリアセタールなどの合成樹脂材料を用いて形成された、図１中において上下方向に延びる略円筒状の筒部材からなっている。なお、以下からは、本実施形態の薬液自己注入装置における、図１の上下方向に対応する方向を、便宜上、上下方向と言う。
【００２０】
この筒状のハウジング１０においては、その下端部が、下方に向かって次第に小径化するテーパ筒形状とされて、この下側開口部が上側開口部よりも小径とされている。また、ハウジング１０の軸方向中間部の径方向に対向する部位には、軸方向に互いに同一長さで延びるスリット２２が、それぞれ一つずつ形成されている。更に、ハウジング１０における一方のスリット２２の下側には、長方形状の窓部２４が、かかるハウジング１０の下端部を貫通して設けられている。
【００２１】
そのようなハウジング１０の下端部内に、リザーバユニット１２が挿着されている。このリザーバユニット１２は、ベース部材２６とリザーバ２８とリザーバリング３０とからなっている。ベース部材２６は、ハウジング１０の形成材料と同様な樹脂材料を用いて形成された樹脂成形品にて構成されている。そして、図２〜図４に示されるように、ベース部材２６は、取付リング部３２と、この取付リング部３２の内側に同軸的に配置されて、円環板上の連結部３３にて取付リング部３２に連結された、円筒状の外周面を有するポート部３４とを一体的に有している。また、それら取付リング部３２とポート部３４との間には、それらの内周面と外周面とをそれぞれ側面とし、且つ連結部３３を底部とする略円環状の溝部３６が形成されており、取付リング部３２が、径方向内方に弾性変形可能とされている。
【００２２】
ベース部材２６のポート部３４には、薬液注入口としての薬液注入ポート３８と薬液注出口としての薬液注出ポート４０とが、ポート部３４を上下方向に貫通するように設けられている。それら薬液注入ポート３８と薬液注出ポート４０は、薬液注排ポートとしても構成されている。また、図１に示されるように、薬液注出ポート４０の内部には、定圧開放弁４２が挿着されている。この定圧開放弁４２は、薬液注出ポート４０内の圧力が上昇して、予め定められた値となったときに開放される公知の構造を有している。ここでは、後述するような患者の体内への微量の薬液の持続注入が可能となるように、薬液注入ポート３８を通じての微量な薬液のリザーバ２８内への注入によって生ずる薬液注出ポート４０内の圧力上昇によって、定圧開放弁４２が開放されるようになっている。また、取付リング部３２の上端面には、その周方向に等間隔をおいた４個所に、返り形状を呈する爪部を先端に備えたフック部４４が、それぞれ一つずつ一体的に立設されている。
【００２３】
リザーバリング３０も、ハウジング１０やベース部材２６の形成材料と同様な樹脂材料を用いて形成された樹脂成形品からなっている。そして、図５及び図６に示されるように、リザーバリング３０は、全体として、略段付きの円筒形状を呈し、下側部分が大径部４６とされる一方、上側部分が小径部４８とされ、また、軸方向中間部が、それら大径部４６と小径部４８とを段付けするショルダ形の段部５０とされている。更に、そのような段部５０の周方向に等間隔をおいた４個所には、係合凹部５２が、一つずつ形成されている。
【００２４】
一方、リザーバ２８は、エラストマや、シリコーンゴムなどの合成ゴム、或いは天然ゴムなどの弾性材料を用いて形成されている。そして、図７及び図８に示されるように、リザーバ２８は、上側底部を有する、リザーバリング３０よりも一周り小さな略段付き有底円筒状の全体形状を呈している。そして、このリザーバ２８の上側部分が、薄肉で容易に弾性変形可能な小径部５４とされている一方、下側部分が、厚肉の大径部５６とされており、また、軸方向中間部に、それら小径部５４と大径部５６とを段付けするショルダ形の段部５８が形成されている。
【００２５】
そして、図１及び図２に示されるように、リザーバ２８が、その大径部５６の下端部をベース部材２６の溝部３６内に突入させると共に、段部５８の下面を、その全周にわたって、ポート部３４の上端面の外周部に接触させた状態で、大径部５６において、ポート部３４に外嵌されている。また、このリザーバ２８に対して、リザーバリング３０が、それぞれの小径部５４，４８同士が対応し且つ大径部５６，４６同士が対応するように外挿されて、リザーバリング３０の段部５０が、リザーバ２８の段部５８上に重ね合わされると共に、大径部４６の下端部が、ベース部材２６の溝部３６内に挿入されている。そして、そのような状態において、ベース部材２６の取付リング部３２に一体的に立設された四つのフック部４４，４４，４４，４４が、リザーバリング３０の段部５０に設けられた四つの係合凹部５２，５２，５２，５２に対して、それぞれ係合されている。
【００２６】
これによって、リザーバリング３０が、ベース部材２６に対して一体的に組み付けられていると共に、リザーバ２８が、ベース部材２６とリザーバリング３０との間で挟圧保持されている。また、そのような挟持状態において、リザーバ２８の小径部５４の大径部５６への開口部がベース部材２６のポート部３４にて閉鎖されて、かかる小径部５４の内側空間が、液密な状態で外部から密閉された薬液貯留部６０とされている。そして、この薬液貯留部６０が、ポート部３４の薬液注入ポート３８と薬液注出ポート４０とのみを通じて、外部に連通している。また、そのような薬液貯留部６０を形成するリザーバ２８の小径部５４は、リザーバリング３０の小径部４８内に収容されて、かかる小径部４８にて保護されるようになっている。
【００２７】
このように、本実施形態では、リザーバユニット１２が、ベース部材２６とリザーバ２８とリザーバリング３０との一体組付品として構成されている。そして、このリザーバユニット１２が、ハウジング１０内に、その上側開口部から挿入されて、ベース部材２６の取付リング部３２が、径方向内方に弾性変形した状態で、ハウジング１０の下端部の内周面に圧接されることにより、ハウジング１０の下端部の内側に固定されている。これによって、ベース部材２６がハウジング１０の下側開口部内に装着されると共に、リザーバ２８が、ハウジング１０の下端部内に収容されている。また、ベース部材２６のポート部３４に設けられた薬液注入ポート３８と薬液注出ポート４０とが、ハウジング１０の下側開口部を通じて、外部に開口され、更に、それら二つのポート３８，４０を通じて、リザーバ２８の薬液貯留部６０が外部に連通している。
【００２８】
なお、ここで用いられるリザーバ２８は、薬液貯留部６０内に３ｍｌ程度の薬液を貯留し得るように、小径部５４の容積が３ｍｌ程度に設定されている。リザーバ２８の薬液貯留部６０内に貯留される薬液の量を、それよりも少なくする場合には、図示されてはいないものの、例えば、リザーバとして、径は同じで高さが低くされて、その容積が小さくされた小径部を有するものが、リザーバユニットに組み付けられる。また、薬液貯留部６０内の薬液貯留量を増やす場合には、例えば、リザーバとして、径は同じで高さが高くされて、容積が大きくされた小径部を有するものが、リザーバユニットに組み付けられる。本実施形態では、リザーバ２８が、上述のようにして、リザーバユニット１２に組み付けられているため、リザーバ２８の交換が容易となっており、それによって、薬液貯留部６０の容量の増減も、容易に行うことが可能となっている。
【００２９】
また、上記のようにして、リザーバユニット１２が固定されたハウジング１０の下端側部分の内側には、割りリング１４が配置されている。この割りリング１４は、例えば、ハウジング１０の形成材料と同様な樹脂材料を用いた弾性変形可能な樹脂成形品からなっている。そして、図１、図９、及び図１０に示されるように、割りリング１４は、ハウジング１０の内径と略同じか又は僅かに大きな外径を有する薄肉のリングの周上の一箇所を、所定の周方向長さの分だけ除去して、分断した形態を有している。
【００３０】
そして、そのような割りリング１４の分断部分とは径方向の反対側部分が径方向内方に厚肉化されて、この厚肉部の端面の内周側部分に、係合フック６２が一体的に立設されている。この係合フック６２は、割りリング１４の端面から上方に一体的に延びる延出部６４と、この延出部６４の先端に一体形成された係合爪部６６とを有している。また、係合爪部６６には、割りリング１４の径方向外方に向かって下傾する傾斜面部６８が形成されている。この傾斜面部６８は、その下端縁が、割りリング１４の径方向において、割りリング１４の外周面と同一の位置となるように設定されている。更に、割りリング１４の係合フック６２の形成部位の外周面には、長方形状を呈する操作突部７０が、一体的に突設されている。
【００３１】
そして、図１に示されるように、かかる割りリング１４が、ハウジング１０の下端部の内側において、係合フック６２を上方に向かって延出させる向きで、リザーバユニット１２におけるリザーバリング３０の小径部４８に対して、径方向に隙間を開けて外挿されている。また、そのような状態下で、割りリング１４が、操作突部７０を、ハウジング１０の下端部に設けられた窓部２４を通じて外部に突出させつつ、僅かに予備圧縮されて、縮径された状態で、ハウジング１０内に挿入されている。そうして、割りリング１４が、ハウジング１０の下端部内に、窓部２４の内周面に対する操作突部７０の係合により、ハウジング１０に対して、その周方向と軸方向への相対変位が不能とされた状態で、固定的に配置されている。
【００３２】
これによって、操作突部７０が外部から押圧操作されたときに、割りリング１４の外周面がハウジング１０の内周面に対して摺動し、割りリング１４が撓んで縮径して、係合フック６２が、割りリング１４の径方向内方に変位するようになっている（図１７参照）。また、係合フック６２の傾斜面部６８に対して、下方への押圧力が加えられたときにも、同様に、割りリング１４が撓んで縮径して、係合フック６２が、割りリング１４の径方向内方に変位するようになっている（図１７参照）。
【００３３】
一方、図１及び図２に示されるように、ハウジング１０の上側開口部には、プッシュボタン２０が挿入されている。このプッシュボタン２０は、ハウジング１０の形成材料と同様な樹脂材料を用いて形成された樹脂成形品からなっている。そして、上側底部７２を備えた片側有底円筒形状を呈し、ハウジング１０の内径よりも僅かに小さな外径と、ハウジング１０よりも短い長さとを有している。また、プッシュボタン２０の筒壁部の径方向に対向する二つの部位には、互いに同一長さで軸方向に延びるスリット７４，７４が、設けられている。それらのスリット７４，７４は、ハウジング１０に設けられたスリット２２，２２と同一の幅及び長さを有している。また、一方のスリット７４の下側（開口端側）には、周方向に延びる、係合部としてのスリット状の係合孔７６が、筒壁部を貫通して、設けられている。
【００３４】
そして、このようなプッシュボタン２０が、上側底部をハウジング１０の上側開口部を通じて外部に露呈されるように、ハウジング１０の上側開口部を通じて、ハウジング１０内に挿入されて、プッシュボタン２０の二つのスリット７４，７４が、ハウジング１０の二つのスリット２２，２２とそれぞれ対応して、配置されている。そして、このプッシュボタン２０は、ハウジング１０内への挿入状態下で、ハウジング１０の内周面に摺動しつつ、上下方向（軸方向）にスライド可能とされており、下方へのスライドが、下端面を割りリング１４の上端面に当接させる位置まで許容されるようになっている。そして、プッシュボタン２０が、下方へのスライドにより、下端面を割りリング１４の上端面に当接させる下死点位置に達したときに、割りリング１４の係合フック６２の係合爪部６６が、プッシュボタン２０の係合孔７６内に突入して、係合するようになっている（図１５参照）。このような係合状態下において、プッシュボタン２０のスライドが阻止されるようになっている。
【００３５】
また、ハウジング１０内部の軸方向中間部には、プッシュボタン２０とリザーバ２８との間において、プランジャ１６が収容されている。このプランジャ１６も、ハウジング１０と同様な材質が適宜に選択される。そして、プランジャ１６は、図１１及び図１２に示されるように、プッシュボタン２０の内径よりも僅かに小さな外径を有する、全体としてリング形状を呈する摺動リング部７８と、摺動リング部７８の内側に、摺動リング部７８の下側開口部から下方に延び出す状態で、所定距離を隔てて同軸的に配置された、下側底部を有する片側有底円筒形状の押圧筒部８０と、それら摺動リング部７８と押圧筒部８０とを連結する連結部８２とを一体的に有している。
【００３６】
このようなプランジャ１６においては、押圧筒部８０の下側底部の下面が、押圧面８４とされており、リザーバ２８の上側底面と軸方向で対向せしめられている。また、摺動リング部７８の外周面の径方向両側に位置する２箇所には、摺動突起８６が、それぞれ一体的に突設されている。更に、それら二つの摺動突起８６，８６がそれぞれ設けられる摺動リング部７８の二つの部位には、それらの部分が、所定長さで下方に延長するように突出する、係合解除手段としての係合解除突起８８が、それぞれ一つずつ、一体形成されている。また、この係合解除突起８８の先端部の内側角部が、凸状湾曲角部とされて、Ｒが付されている。
【００３７】
そして、図１に示されるように、かかるプランジャ１６が、ハウジング１０内において、プッシュボタン２０の下側開口部内に収容された状態で、配置されている。また、プランジャ１６の摺動リング部７８に設けられた二つ摺動突起８６，８６が、プッシュボタン２０の二つのスリット７４，７４内を挿通して、ハウジング１０のスリット２２，２２内にそれぞれ突入している。これによって、プランジャ１６が、ハウジング１０内において、周方向には移動不能で、且つ軸方向（上下方向）には、プッシュボタン２０とハウジング１０のそれぞれのスリット７４，２２に案内されつつ、プッシュボタン２０に対して相対的に摺動可能とされている。また、プッシュボタン２０がハウジング１０の上方へ相対移動したときに、二つの摺動突起８６，８６が、ハウジング１０の各スリット２２，２２の上端とプッシュボタン２０の各スリット７４，７４の下端との間で挟まれることで、プッシュボタン２０のハウジング１０内からの引き抜きが阻止されるようになっている。
【００３８】
また、図１から明らかなように、プランジャ１６が収容されたプッシュボタン２０内には、プッシュボタン２０よりも短い軸方向長さを有する圧縮コイルばね１８が、同軸的に収容されている。この圧縮コイルばね１８は、その一端部において、プッシュボタン２０の上側底部７２の内面に一体形成された取付部９０に取り付けられている（図示せず）一方、その他端部において、プランジャ１６の連結部８２に固定されている。
【００３９】
これによって、プランジャ１６が、圧縮コイルばね１８を介して、プッシュボタン２０の上側底部７２に取り付けられている。そして、プッシュボタン２０とプランジャ１６のそれぞれの軸方向への相対移動により、それらプッシュボタン２０の上側底部７２とプランジャ１６とが接近したときに、圧縮コイルばね１８が圧縮し、その復元力に基づいて、プッシュボタン２０とプランジャ１６とに対して、それらを離間させる方向に付勢し得るようになっている。
【００４０】
そして、上記のような構造とされた本実施形態の薬液自己注入装置を使用する際には、例えば、図１３に示されるように、ベース部材２６の薬液注入ポート３８と薬液注出ポート４０とに対して、薬液注入チューブ９２と薬液注出チューブ９４とが接続される（それぞれの接続部分は図示せず）。また、薬液容器９６内に収容された鎮痛剤などの所定の薬液を、図示しないカテーテルなどに供給する薬液供給チューブ９８の上流側に対して、薬液注入チューブ９２が、薬液注入ポート３８への接続側とは反対側において接続される一方、その下流側に対して、薬液注出チューブ９４が、薬液注出ポート４０への接続側とは反対側において接続される。つまり、ここでは、薬液の追加投与を行うための薬液自己注入装置が、薬液の持続注入を行う薬液供給チューブ９８からなるラインに対して、並列に設けられている。これにより、薬液自己注入装置の薬液貯留部６０に薬液が貯留されている間でも、薬液の持続注入が実施され得るようになっている。なお、図１３中、１００は、薬液供給チューブ９８内の薬液の流量を制御する流量制御装置であり、また、１０２は、シリンジなどが接続されるポートである。
【００４１】
次に、本実施形態の薬液自己注入装置の使用方法について説明する。
【００４２】
先ず、図１３に示されるように、本実施形態の薬液自己注入装置を、薬液容器９６から延びる薬液供給チューブ９８からなるメインのラインに並列に接続した状態下において、メインのラインにて、通常の微量の薬液の持続注入が行われる。
【００４３】
そして、患者自身が、自己の体内に、薬液を一時的に大量に注入する必要が生じたときには、図１４に示されるように、プッシュボタン２０を下方（矢印：アにて示される方向）に押圧して、ハウジング１０の内周面に摺動させつつ、下方にスライド移動させる。このとき、プッシュボタン２０のスリット７４，７４内にプランジャ１６の二つの摺動突起８６，８６が挿通されているため、プッシュボタン２０は軸心回りに回転することなく、真っ直ぐにスライドする。そして、プッシュボタン２０を、その下端面が、割りリング１４の上端面に当接する下死点位置までスライド移動させると、図１４及び図１５に示されるように、プッシュボタン２０の下端部に設けられた係合孔７６内に、割りリング１４に一体形成された係合フック６２の係合爪部６６が突入して、係合する。これによって、プッシュボタン２０の下死点に達した状態が保持されるように、プッシュボタン２０がスライド移動不能にロックされる。このことから明らかなように、本実施形態ではプッシュボタン２０の係合孔７６と、割りリング１４の係合フック６２の係合爪部６６とを含んで、係合手段が構成されている。
【００４４】
一方、プランジャ１６は、プッシュボタン２０の下方へのスライド移動に伴って、圧縮コイルばね１８により押圧されて、下方に移動して、押圧面８４が、リザーバ２８の上側底部に当接する。その状態から、プッシュボタン２０が更に下方にスライド移動すると、圧縮コイルばね１８が、プッシュボタン２０の上側底部７２とプランジャ１６との間で圧縮させられる。
【００４５】
そして、上記のように、プッシュボタン２０がロックされると、その時点から、圧縮コイルばね１８が、その復元力により徐々に伸長し始める。それに伴って、プランジャ１６が、リザーバ２８の小径部５４を押圧して、それを少しずつ撓み変形させながら、下方に移動する。これによって、リザーバ２８の薬液貯留部６０内の薬液１０４が、薬液注出ポート４０と、それに接続された薬液注出チューブ９４とを通じて、外部に注出され、薬液供給チューブ９８を経て、カテーテルなどから患者の体内に供給される。この薬液貯留部６０内からの薬液１０４の注出は、圧縮コイルばね１８の復元力に基づいて、自動的に継続される。このとき、薬液貯留部６０内の薬液１０４は、通常の微量持続注入時よりも多くの量と大きく且つ一定の圧力で注出され続ける。なお、このことから明らかなように、本実施形態ではプッシュボタン２０とプランジャ１６とを含んで、押圧手段が構成されている。
【００４６】
そして、そのような圧縮コイルばね１８の伸長に伴うプランジャ１６の下方への移動により、やがて、図１６及び図１７に実線で示されるように、プランジャ１６に一体形成された係合解除突起８８の先端部が、係合フック６２の傾斜面部６８に当接する。そこから更にプランジャ１６が下方に移動すると、図１７に二点鎖線で示されるように、係合解除突起８８が傾斜面部６８を押圧しつつ、傾斜面部６８上を下方に移動する。これによって、割りリング１４が撓んで縮径され、それに伴って、係合フック６２が径方向内方に変位して、プッシュボタン２０の係合孔７６に対する係合爪部６６の係合が解除されて、プッシュボタン２０をスライド不能とするロックが解消される。そうすると、圧縮コイルばね１８の復元力に基づくプランジャ１６への押圧力、更にはプランジャ１６のリザーバ２８に対する押圧力が、何れも解消され、以って、通常の微量持続注入時よりも多くの量と大きな圧力での薬液貯留部６０内からの薬液の注出が、自動的に終了する。
【００４７】
その後、薬液注入ポート３８を通じて薬液貯留部６０内に注入される薬液の注入圧によって、リザーバ２８の小径部５４が変形前の状態に復元されると共に、薬液１０４が薬液貯留部６０内に再充填される。また、リザーバ２８の小径部５４の復元に伴って、プランジャ１６と圧縮コイルばね１８とプッシュボタン２０とが、押し上げられて、再び、図１に示される位置に復帰する。そうして、次回のプッシュボタン２０の押圧操作による薬液の一時的な大量注出の準備が完了する。
【００４８】
このように、本実施形態の薬液自己注入装置においては、プッシュボタン２０がロックされるまで、プッシュボタン２０を押圧するだけで、薬液１０４の一時的な大量注出が自動的に行われる。しかも、その後に、プッシュボタン２０のロックの解除操作を何等行わなくとも、薬液１０４の一時的な大量注出が終了した時点で、プッシュボタン２０のロックが自動的に解除される。そして、リザーバ２８の薬液貯留部６０内への薬液１０４の再充填も、自動的に行われる。
【００４９】
従って、このような本実施形態の薬液自己注入装置を用いれば、プッシュボタン２０のロックの解除忘れにより、次回のプッシュボタン２０の押圧操作による薬液の一時的な大量注出が実施できなくなってしまうことが効果的に解消され得る。その結果として、より一層優れた使用性が、極めて有利に発揮され得るのである。
【００５０】
また、かかる薬液自己注入装置では、圧縮コイルばね１８の復元力に基づくプランジャ１６の下方への移動により、プランジャ１６に一体形成された係合解除突起８８にて、係合フック６２の傾斜面部６８を押圧するだけで、プッシュボタン２０のロック（係合フック６２の係合孔７６に対する係合）が自動的に解除されるようになっている。それ故、プッシュボタン２０のロックを解除するための機構が、少ない部品点数で、極めて簡略な構造において有利に実現され得ている。
【００５１】
さらに、本実施形態の薬液自己注入装置では、操作突部７０が外部から押圧操作されて、係合フック６２の係合孔７６に対する係合が解除されることにより、プッシュボタン２０のロックが手動で解除され得るようになっている。それ故、何らかの理由で、プッシュボタン２０のロックを緊急に解除する必要が生じた際にも、迅速に且つ確実に対応できる。また、薬液１０４の一時的な自動大量注出時に、プッシュボタン２０のロックを手動で解除することにより、かかる薬液１０４の自動大量抽出を強制的に緊急停止することが出来る。
【００５２】
更にまた、かかる薬液自己注入装置では、割りリング１４が撓んで縮径することにより、プッシュボタン２０の係合孔７６に対する係合爪部６６の係合が解除されて、プッシュボタン２０のロックが解除されるようになっている。そのため、例えば、板状や棒状を呈する可撓部材に係合爪部６６を設けて、この板状可撓部材の撓み変形により、プッシュボタン２０の係合孔７６に対する係合爪部６６の係合を解除させるように構成する場合に比して、割りリング１４が、繰り返しの撓み変形に対する優れた耐久性を発揮するだけでなく、より大きな変形ストロークを確保することが出来る。そして、その結果として、プッシュボタン２０のロック解除が安定的に且つ確実に行われ得るだけでなく、装置全体の使用耐久性の向上が有利に図られ得る。
【００５３】
以上、本発明の具体的な構成について詳述してきたが、これはあくまでも例示に過ぎないのであって、本発明は、上記の記載によって、何等の制約をも受けるものではない。
【００５４】
例えば、係合爪部６６が設けられる可撓部材の構造は、例示のものに、何等限定されるものではない。例えば、図１８に示されるように、リザーバリング３０の段部５０などに、上方に一体的に延びる板状可撓片部１０６を設け、その側面に対して、係合爪部６６を設けても良い。また、図１９に示されるように、ベース部材２６の取付リング部３２に対して、上方に一体的に延びる板状可撓片部１０６を設け、その側面に対して、係合爪部６６を設けることもできる。なお、図示されてはいないものの、それらリザーバリング３０やベース部材２６に一体形成される板状可撓片部１０６は、プランジャ１６の係合解除突起８８にて、係合爪部６６に設けられた傾斜面部６８が押圧されたときに、側方に撓み変形するようになっている。それよって、板状可撓片部１０６に設けられた係合爪部６６が、ハウジング１０の係合孔７６から離脱して、かかる係合爪部６６の係合孔７６への係合が解除されるようになっている。
【００５５】
このように、可撓部材を、ハウジング１０内に軸方向に延びるようにして位置固定に設けた可撓片部にて構成することも可能なのである。これによって、可撓部材を他の部材と一体で設けることができ、以って、部品点数の削減が有利に図られ得る。なお、図１８に示されるリザーバリング３０と図１９に示されるベース部材２６に関しては、図５に示されるリザーバリング３０や図３に示されるベース部材２６と同様な構造とされた部材及び部位について、図５及び図３と同一の符号を付すことにより、その詳細な説明を省略した。
【００５６】
また、前記実施形態では、ベース部材２６に対して、薬液注入ポート３８と薬液注出ポート４０とが、それぞれ設けられていたが、例えば、特許第３９２８２４８号公報の図６に示されるように、ベース部材２６（公報ではポート部と呼称される）に、薬液の注入と注出の両方を行うための薬液注排ポートを一つだけ設けるように為すことも可能である。
【００５７】
さらに、係合解除手段は、押圧部材と一体移動可能とされておれば、押圧部材とは別個の独立した部材にて構成されていても良い。
【００５８】
更にまた、前記実施形態では、リザーバ２８が弾性材料を用いて形成されていたが、このリザーバ２８は、可撓性を有するものであれば、弾性材料以外の材料を用いて形成することもできる。例えば、柔軟な樹脂材料を用いて、蛇腹形状において形成することも可能である。
【００５９】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【符号の説明】
【００６０】
１０：ハウジング  １２：リザーバユニット  １４：割りリング  １６：プランジャ  １８：圧縮コイルばね  ２０：プッシュボタン  ２６：ベース部材  ２８：リザーバ  ３０：リザーバリング  ３８：薬液注入ポート  ４０：薬液注出ポート  ６０：薬液貯留部  ６２：係合フック  ６６：係合爪部  ６８：傾斜面部  ７６：係合孔  ８８：係合解除突起
【図１】
2010227144.tif 000003
【図２】
2010227144.tif 000004
【図３】
2010227144.tif 000005
【図４】
2010227144.tif 000006
【図５】
2010227144.tif 000007
【図６】
2010227144.tif 000008
【図７】
2010227144.tif 000009
【図８】
2010227144.tif 000010
【図９】
2010227144.tif 000011
【図１０】
2010227144.tif 000012
【図１１】
2010227144.tif 000013
【図１２】
2010227144.tif 000014
【図１３】
2010227144.tif 000015
【図１４】
2010227144.tif 000016
【図１５】
2010227144.tif 000017
【図１６】
2010227144.tif 000018
【図１７】
2010227144.tif 000019
【図１８】
2010227144.tif 000020
【図１９】
2010227144.tif 000021